(57)【特許請求の範囲】
【請求項１】
こませかご本体の下部に基本錘を着脱可能に取り付けると共に、当該基本錘のこませかご本体側取付部に追加錘を装着したこませかごに於て、
前記基本錘のこませかご本体側取付部に係止片を形成し、
前記追加錘の上部に回動操作用の摘み部を設けると共に、当該摘み部による所定角度の回動操作で前記係止片に係脱自在なフランジ部を設けたことを特徴とするこませかご。
【請求項２】
前記係止片はＬ字状に形成され、前記摘み部による追加錘の回動操作で前記フランジ部が前記係止片内に圧入して、追加錘がこませかご本体に装着されることを特徴とする請求項１に記載のこませかご。
【発明の詳細な説明】
【０００１】
【発明の属する技術分野】
本発明は、収容したこませ（まき餌）を水中で放出して、魚を誘うこませかごに関する。
【０００２】
【従来の技術】
今日、タイやヒラメ，ヒラマサ等を釣る場合、こませかごに収容したこませを水中で放出して魚を誘う魚誘釣法が広く行われている。
従来周知のように、こませかごには、
▲１▼水中に於けるこませかごの落下速度を上げ、
▲２▼こませかごの姿勢を潮に影響されずに安定させる、
ことを目的として、錘をこませかごの下部に取り付けている。
【０００３】
また、潮の流れの速度や棚位置等の変更に伴って重量を変更させるべく、追加錘を着脱可能としたこませかごが実開昭６３−１０１０７８号公報及び実開平４−３５６８号公報に開示されている。
【０００４】
実開昭６３−１０１０７８号公報で開示された従来例は、図７に示すように基本錘１の内底部３に固着した取付ボルト５に、蝶ナット７を介して複数個の追加錘９，１１を着脱可能としたもので、基本錘１はこませかご本体１３の下部にビス１５によって着脱自在に取り付けられている。
そして、実開平４−３５６８号公報で開示された従来例は、図８に示すようにこませかご本体１７の下部に着脱自在なキャップ１９内に基本錘２１と追加錘２３を収容して、こませかご本体１７とキャップ１９とで基本錘２１と追加錘２３を挟み付けた構造となっている。
【０００５】
また、本出願人は、先に特願平９−３４０６７８号に於て、図９に示すように追加錘２５を鉛部２７と樹脂製のケーシング２９とで構成すると共に、該ケーシング２９に、係止片３１を先端に有する弾性変形可能な一対の脚部３３を一体成形して、追加錘２５をこませかご本体３５の下部取付部３７から挿入し、前記係止片３１をこませかご本体３５内の係止部３９に係止させて追加錘２５を取り付け可能としたこませかご４１を開示した。
【０００６】
尚、図９中、４２はこませかご本体３５の下部に固着された基本錘である。
【０００７】
【発明が解決しようとする課題】
然し乍ら、上述の如き従来例にあっては、何れも追加錘９，１１，２３，２５に摘み部が設けられていないため、こませかご本体１３，１７，３５への着脱時に扱い難く、誤ってこれらを海中に落下させてしまう虞があった。
【０００８】
また、図７に示すこませかご４３にあっては、取付ボルト５と蝶ナット７による追加錘９，１１の取付けのために作業性が悪く、更にまた、図８に示すこませかご４５にあっては、内部で基本錘２１と追加錘２３がガタ付いてしまう不具合が指摘されている。
而も、例えば図８に示すこませかご４５は、こませかご本体１７からキャップ１９を外した際に、基本錘２１や追加錘２３を係止，保持しておく手段がないため、基本錘２１と追加錘２３がキャップ１９からばらけて海中に落下してしまう欠点があった。
【０００９】
一方、図９に示す従来例は、追加錘２５がこませかご４１の下部に露出し、而も、追加錘２５の係止状態の確認がし難いため、誤ってこませかご４１を船縁にぶつけたりすると、追加錘２５が脱落してしまう虞が指摘されている。
本発明は斯かる実情に鑑み案出されたもので、追加錘の取付けが確実で、また、追加錘の着脱時や実釣時に、追加錘の落下を防止したこませかごを提供することを目的とする。
【００１１】
【課題を解決するための手段】
斯かる目的を達成するため、請求項１に係る発明は、こませかご本体の下部に基本錘を着脱可能に取り付けると共に、当該基本錘のこませかご本体側取付部に追加錘を装着したこませかごに於て、前記基本錘のこませかご本体側取付部に係止片を形成し、前記追加錘の上部に回動操作用の摘み部を設けると共に、当該摘み部による所定角度の回動操作で前記係止片に係脱自在なフランジ部を設けたことを特徴とする。
【００１２】
そして、請求項２に係る発明は、請求項１に記載のこませかごに於て、前記係止片はＬ字状に形成され、前記摘み部による追加錘の回動操作で前記フランジ部が前記係止片内に圧入して、追加錘がこませかご本体に装着されることを特徴とする。
【００１３】
（作用）
請求項１及び請求項２に係る発明によれば、追加錘の着脱に当たり、摘み部を介して追加錘を摘むことが可能である。
そして、請求項１に係る発明によれば、摘み部を摘んで追加錘を所定角度回動操作すれば、係止片にフランジ部が係止して追加錘が基本錘に装着され、基本錘をこませかご本体から分離した際に、追加錘が基本錘に係止，保持されて落下することがない。
同様に、請求項２に係る発明にあっても、摘み部を摘んで追加錘を所定角度回動操作すれば、前記フランジ部が前記係止片内に圧入して、追加錘がこませかご本体に装着されることとなる。そして、基本錘をこませかご本体から分離した際に、追加錘が基本錘に係止，保持されて落下することがない。
【００１５】
【発明の実施の形態】
以下、本発明の実施形態を図面に基づき詳細に説明する。
図１乃至図６は請求項１及び請求項２の一実施形態に係るこませかごを示し、図１中、５１は透光性を有する合成樹脂で成形された筒状のこませかご本体で、開閉扉５３が取り付くその胴部に複数の透孔５５が形成されている。
【００１６】
そして、図１及び図２に示すようにこませかご本体５１の上部には複数の通水孔５７が形成されると共に、当該通水孔５７の開口度調節を行う樹脂製の調節キャップ５９が重合嵌着されており、従来と同様、当該調節キャップ５９を回動操作して調節キャップ５９の透孔６１と通水孔５７との重合度調節を行うことで、水の流入量が調節できるようになっている。
【００１７】
また、こませかご本体５１の下部側には複数のこませ放出孔６３が形成されると共に、当該こませ放出孔６３の開口度調節を行う樹脂製の環状部材６５がこませかご本体５１の外周に重合嵌着されており、当該環状部材６５を回動操作して環状部材６５の透孔６７とこませ放出孔６３との重合度調節を行うことで、こませの放出量が調節できるようになっている。
【００１８】
そして、こませかご本体５１の下部開口部に、基本錘６９と追加錘７１とからなる錘体７３が着脱自在に取り付けられている。
図２に示すように基本錘６９は、紡錘形状に形成された樹脂製のケーシング７５と当該ケーシング７５内に収容された鉛部７７、そして、当該鉛部７７を覆う樹脂製の蓋体７９とで構成されており、ケーシング７５には鉛部７７に設けた切欠き８１を挿通する筒状のビス止め部８３が立設されている。
【００１９】
そして、蓋体７９の裏面側には、前記ビス止め部８３の先端が係合する筒状のビス取付部８５が形成されており、図示するように当該ビス取付部８５を介してビス止め部８３にビス８７を螺着することで、鉛部７７がケーシング７５内に収容，保持されている。
尚、図２中、８９は鉛部７７の上面に設けた凹部で、当該凹部８９にビス取付部８５が嵌合している。
【００２０】
また、図１及び図２に示すようにこませかご本体５１の下部外周には、後述する係止片９１が係止可能な間隔をあけて、一対の突片９３，９５が１８０°の間隔をおいて２箇所に突設されている。
そして、図３及び図４に示すようにケーシング７５の筒状部９７の内周には、前記突片９３，９５が共に挿入可能な切欠き９７，９９が形成されると共に、中央に前記係止片９１が形成された係合孔１０１が、１８０°の間隔を空けて各切欠き９５，９７の一端側に連設されている。そして、突片９３，９５を、夫々、切欠き９７，９９内に挿入して、係合孔１０１方向にこませかご本体５１を回動させると、係合孔１０１に突片９３，９５が係合すると共に、係止片９１の凸部９１ａが突片９３，９５間の間隙に係止して、基本錘６９がこませかご本体５１に取り付くようになっている。
【００２１】
また、図２及び図４に示すように前記基本錘７３の蓋体７９の表面（こませかご本体側取付部）には、その周縁部に沿って断面Ｌ字状の係止片１０３が、１２０°の間隔をおいて一方向に設けられており、各係止片１０３の先端には凸部１０３ａが下方へ突設されている。そして、各係止片１０３間には、追加錘７１の係脱時に当該追加錘７１の位置決めを図るストッパ１０４が１２０°の間隔をおいて立設されている。
【００２２】
一方、図２，図５及び図６に示すように追加錘７１は、１２０°の間隔をあけてフランジ１０５が外周に形成されたキャップ状の樹脂製ケーシング１０７と、当該ケーシング１０７内にビス止めされた鉛部１０９とで形成されており、ケーシング１０７の上部には回動操作用の摘み部１１１が凸状に設けられている。
そして、前記フランジ１０５には、夫々、外方へ向けて１本の係止溝１１３が設けられており、前記摘み部１１１を摘み、ストッパ１０４に沿ってフランジ１０５を係止片１０３，ストッパ１０４間に配置した後、図４に示すように当該摘み部１１１を介して追加錘７１を矢印Ａ方向へ僅かな角度で回動させると、係止片１０３内に圧入されたフランジ１０５の係止溝１１３に凸部１０３ａが係止して、追加錘７１が基本錘６９に装着されるようになっている。
【００２３】
また、斯かる状態で、摘み部１１１を摘んで追加錘７１を矢印Ｂ方向へ回動させると、係止溝１１３と凸部１０３ａとの係止状態が解除されて、追加錘７１が基本錘６９から外れるようになっている。尚、斯様に追加錘７１を矢印Ｂ方向へ回動させて係止片１０３との係止状態が解除されると、フランジ１０５がストッパ１０４に当接して回動が規制されるようになっている。
【００２４】
その他、図５に於て、１１５は摘み部１１１を挟んでケーシング１０７の上部に形成された凹部で、斯様に凹部１１５を摘み部１１１の周囲に設けることで、凸状の摘み部１１１による回動操作がし易くなっている。
本実施形態に係るこませかご１１７はこのように構成されているから、錘体７３をこませかご本体５１に取り付けるに当たり、追加錘７１を基本錘６９に取り付けるには、上述したように摘み部１１１を摘んで、ストッパ１０４に沿ってフランジ１０５を当該ストッパ１０４，係止片１０３間に配置した後、図４に示すように摘み部１１１を介して追加錘７１を矢印Ａ方向へ僅かに回動させれば、係止片１０３内に圧入されたフランジ１０５の係止溝１１３に係止片１０３の凸部１０３ａが係止して、追加錘７１が基本錘６９に装着されることとなる。
【００２５】
そして、斯様に追加錘７１が装着された基本錘６９をこませかご本体５１に取り付けるには、こませかご本体５１下部の突片９３，９５を、夫々、基本錘６９側の切欠き９７，９９内に挿入して、係合孔１０１方向にこませかご本体５１を回動させれば、係合孔１０１に突片９３，９５が係合すると共に、係止片９１の凸部９１ａが突片９３，９５間の間隙に係止して基本錘６９がこませかご本体５１に取り付くこととなる。
【００２６】
また、追加錘７１を他の追加錘に変更するには、こませかご本体５１を逆方向に回動操作して、係合孔１０１と突片９３，９５及び凸部９１ａと突片９３，９５間の間隙との係止状態を解除すれば、錘体７３がこませかご本体５１から分離する。尚、このとき、追加錘７１は基本錘６９に係止されているため、落下することはない。
【００２７】
そして、既述したように摘み部１１１を摘んで追加錘７１を矢印Ｂ方向へ僅かに回動させれば、係止溝１１３と凸部１０３ａとの係止状態が解除されて、追加錘７１が基本錘６９から外れるので、他の追加錘を同様の操作で基本錘６９に係止して、これらを再びこませかご本体５１に取り付ければよい。
このように本実施形態は、追加錘７１に回動操作用の摘み部１１１を設けたので、基本錘６９への着脱時に追加錘７１が摘み易くなり、この結果、追加錘７１を誤って海中へ落下させてしまうトラブルを未然に防ぐことが可能となった。
【００２８】
而も、本実施形態は、追加錘７１を樹脂製のケーシング１０７と鉛部１０９とで構成して、摘み部１１１をケーシング１０７に設ける構造上、摘み部１１１の成形が容易であると共に、鉛部１０９に摘み部を直接設けた場合に比し摘み部自身の耐久性も良好である。
また、上述したように本実施形態は、係止片１０３，ストッパ１０４間にフランジ１０５を配置した後、図４に示すように摘み部１１１を介して追加錘７１を矢印Ａ方向へ僅かに回動させることで追加錘７１が基本錘６９に取り付き、そして、矢印Ｂ方向へ僅かに回動させれば、追加錘７１が基本錘６９から分離できるので、従来に比し追加錘７１の着脱操作が容易になると共に、錘体７３をこませかご本体５１から分離させた際に、追加錘７１が基本錘６９に係止，保持されているため、追加錘７１を誤って海中へ落下させてしまう虞が解消できることとなった。
【００２９】
更にまた、本実施形態によれば、従来に比し追加錘７１が遊ぶことなく確実に基本錘６９に係止されるため、追加錘７１のガタ付きが防止できると共に、追加錘７１が外部に露出しない構造であるため、誤って船縁にぶつけても追加錘７１を脱落させてしまうこともない。
【００３０】
【発明の効果】
以上述べたように、請求項１及び請求項２に係る発明によれば、従来に比し追加錘の着脱操作が著しく容易になると共に、基本錘をこませかご本体から分離させたとき、追加錘が基本錘に係止，保持されているため、追加錘を誤って海中へ落下させてしまう虞が解消できることとなった。
【００３１】
更にまた、本発明によれば、従来に比し追加錘が遊ぶことなく確実に基本錘に係止されるため、追加錘のガタ付きがなくなると共に、追加錘が外部に露出しない構造であるため、誤って船縁にぶつけても追加錘を脱落させてしまうこともない。
【図面の簡単な説明】
【図１】  請求項１及び請求項２の一実施形態に係るこませかごの正面図である。
【図２】図１に示すこませかごの断面図である。
【図３】錘体の分解正面図である。
【図４】錘体の平面図である。
【図５】追加錘の正面図である。
【図６】追加錘の平面図である。
【図７】従来のこませかごの一部切欠き正面図である。
【図８】従来の他のこませかごの分解斜視図である。
【図９】従来の他のこませかごの断面図である。
【符号の説明】
５１  こませかご本体
６９  基本錘
７１  追加錘
７３  錘体
７５，１０７  ケーシング
７７，１０９  鉛部
７９  蓋体
８１，９７，９９  切欠き
８３  ビス止め部
８５  ビス取付部
９１，１０３  係止片
９３，９５  突片
１０１  係合孔
１０５  フランジ
１１３  係止溝
１１７  こませかご
【図１】
0004334648.tif 000002
【図２】
0004334648.tif 000003
【図３】
0004334648.tif 000004
【図４】
0004334648.tif 000005
【図５】
0004334648.tif 000006
【図６】
0004334648.tif 000007
【図７】
0004334648.tif 000008
【図８】
0004334648.tif 000009
【図９】
0004334648.tif 000010